(57)【要約】【課題】  本発明は、傾斜地や段差に対応して複数のパネルを連結できるフェンスを提供することにある。【解決手段】  複数のパネル１ａ〜１ｃと、パネル１ａ〜１ｃ同士を連結する連結材４，５とを備え、パネル１ａ〜１ｃは上下に横桟２ａ，２ｂを有し、連結材４，５は、パネル１ａ〜１ｃの横桟２ａ，２ｂの中空部Ｓに挿入して取り付けてあり、連結材４，５を介してパネル１ａ〜１ｃ同士が上下にずれた位置で連結してあることを特徴とする。【選択図】      図１
2012172420.tif 000002
【特許請求の範囲】
【請求項１】
複数のパネルと、パネル同士を連結する連結する連結材とを備え、パネルは上下に横桟を有し、連結材は、パネルの横桟の中空部に挿入して取り付けてあり、連結材を挟んでパネル同士が上下にずれた位置で連結してあることを特徴とするフェンス。
【請求項２】
複数のパネルと、パネル同士を連結する連結材を備え、パネルは、上下の横桟と左右の縦桟を有し、金具は、隣接するパネルのうちの一方のパネルの縦桟の側面に対して長手方向に位置調整自在に取り付けてあり、連結材を隣接する他方のパネルの横桟の中空部に呑込ませて固定してあることを特徴とするフェンス。
【請求項３】
複数のパネルと、パネル同士を連結する連結材を備え、連結材は、パネル間に設けられる上下方向に長い取付材と、取付材にパネルを固定する金具とからなり、金具は、取付材の側面に対して長手方向に位置調整自在に取り付けできることを特徴とするフェンス。
【請求項４】
パネル同士が上下にずれて段差状に連結してあることを特徴とする請求項１乃至３記載のフェンス。
【請求項５】
パネル同士は、高さ寸法が異なったものを連結することを特徴とする請求項１乃至３フェンス。
【請求項６】
複数のパネルと、パネル同士を連結する連結材を備え、連結材により高さ寸法が異なるパネル同士を連結することを特徴とするフェンス。
【請求項７】
隣接するパネル同士は、上端位置を揃えて連結してあることを特徴とする請求項６記載のフェンス。
【請求項８】
隣接するパネル同士は、下端位置を揃えて連結してあることを特徴とする請求項６記載のフェンス。
【請求項９】
隣接するパネル同士は、一方のパネルの上下端の位置が他方のパネルの上端位置から下端位置までの範囲内にあり、パネル同士が不揃いな状態で連結してあることを特徴とする請求項６記載のフェンス。
【発明の詳細な説明】
【技術分野】
【０００１】
本発明は、複数のパネルを連結して構成するフェンスに関するものである。
【背景技術】
【０００２】
複数のパネルを連結して構成するフェンスには、図８のように、間隔をあけて複数の支柱７を立設し、その支柱７の見付け面に金具３０を介してパネル１ａ〜１ｃを取り付けるものがある。
【先行技術文献】
【特許文献】
【０００３】
三協立山アルミ  エクステリア総合カタログ２０１０−２０１１  第２版  ８６６ページ  ２０１０年７月発行
【発明の概要】
【発明が解決しようとする課題】
【０００４】
上記のようなフェンスでは、隣接するパネル１ａ〜１ｃ同士の上下桟２ａ，２ｂの高さ位置が揃ったものしかなく、傾斜地の勾配や建物のレイアウト等に対応して、パネル１ａ〜１ｃを上下にずらして段差状に連結したり、高さ寸法の異なるパネル同士を連結したフェンスがなかった。本発明は、上記課題を鑑みてなされたものであり、傾斜地や段差に対応して複数のパネルを連結したフェンスを提供することにある。
【課題を解決するための手段】
【０００５】
本発明のうち請求項１記載の発明は、複数のパネルと、パネル同士を連結する連結材とを備え、パネルは上下に横桟を有し、連結材は、パネルの横桟の中空部に挿入して取り付けてあり、連結材を介してパネル同士が上下にずれた位置で連結してあることを特徴とする。
【０００６】
本発明のうち請求項２記載の発明は、複数のパネルと、パネル同士を連結する連結材を備え、パネルは、上下の横桟と左右の縦桟を有し、金具は、隣接するパネルのうちの一方のパネルの縦桟の側面に対して長手方向に位置調整自在に取り付けてあり、連結材を隣接する他方のパネルの横桟の中空部に呑込ませて固定してあることを特徴とする。
【０００７】
本発明のうち請求項３記載の発明は、複数のパネルと、パネル同士を連結する連結材を備え、連結材は、パネル間に設けられる上下方向に長い取付材と、取付材にパネルを固定する金具とからなり、金具は、取付材の側面に対して長手方向に位置調整自在に取り付けできることを特徴とする。
【０００８】
本発明のうち請求項４記載の発明では、パネル同士が上下にずれて段差状に連結してあることを特徴とする。
【０００９】
本発明のうち請求項５記載の発明では、パネル同士は、高さ寸法が異なったものを連結することを特徴とする。
【００１０】
本発明のうち請求項６記載の発明は、複数のパネルと、パネル同士を連結する金具を備え、金具により高さ寸法が異なるパネル同士を連結することを特徴とする。
【００１１】
本発明のうち請求項７記載の発明では、隣接するパネル同士は、上端位置を揃えて連結してあることを特徴とする。
【００１２】
本発明のうち請求項８記載の発明では、隣接するパネル同士は、下端位置を揃えて連結してあることを特徴とする。
【００１３】
本発明のうち請求項９記載の発明では、隣接するパネル同士は、一方のパネルの上下端の位置が他方のパネルの上端位置から下端位置までの範囲内にあり、パネル同士が不揃いな状態で連結してあることを特徴とする。
【発明の効果】
【００１４】
本発明の請求項１記載の発明によれば、一方のパネルを構成する横桟のいずれかの中空部と、他方のパネルを構成する横桟のいずれかの中空部に、連結材を挿通し且つ固定してパネル同士を連結することにより、傾斜地の勾配や建物のレイアウト等に対応してパネルを上下にずらして段差状に連結したフェンスを設置することができる。
【００１５】
本発明の請求項２記載の発明によれば、隣接するパネル同士の縦桟に対し、縦桟長手方向の任意の位置に連結材を取り付け、その連結材を他方のパネルの横桟中空部に呑み込ませて固定することにより、上記した請求項１記載の効果に加え、連結材が露出しないことからフェンスの外観意匠性が損なわれない。
【００１６】
本発明の請求項３〜５記載の発明によれば、上下方向に長い取付材と、その取付材を介してパネル同士を連結する金具からなる連結材を使用していることにより、取付材の長手方向の上下に相違する位置にそれぞれパネルを連結できることから、傾斜地や建物のレイアウト等に対応してフェンスを設置することができる。
【００１７】
本発明の請求項６記載の発明によれば、高さ寸法の異なるパネル同士を金具で連結していることにより、傾斜地の勾配や建物のレイアウト等に対応してパネルを上下にずらして段差状に連結したフェンスを設置することができる。
【００１８】
本発明の請求項７記載の発明によれば、上端を揃えた状態でパネル同士を連結し、下方に形成された段差を傾斜地の傾斜に対応してフェンスを設置することもできる。
【００１９】
本発明の請求項８記載の発明によれば、下端位置を揃えた状態でパネル同士を連結し、建物の状況に合わせて高さ寸法の相違するフェンスを設置することもできる。
【００２０】
本発明の請求項９記載の発明によれば、高さ寸法の違うパネル同士を連結するときに、上下に段違いとなる状態で連結することもでき、設置のバリエーションが豊富なフェンスを提供できる。
【図面の簡単な説明】
【００２１】
【図１】（ａ）は、本発明の第一実施形態のフェンスを示す正面図であり、（ｂ）は、（ａ）中のＡを拡大して示す斜視図である。
【図２】（ａ）〜（ｃ）は、第一実施形態のフェンスの様々な連結パターンを示す簡略化した正面図である。
【図３】（ａ）は、本発明の第二実施形態のフェンスを示す正面図であり、（ｂ）は（ａ）中のＢを拡大して示す縦断面図である。
【図４】（ａ）〜（ｃ）は、第二実施形態のフェンスの様々な連結パターンを示す簡略化した正面図である。
【図５】（ａ）は、本発明の第三実施形態のフェンスを示す正面図であり、（ｂ）は、（ａ）中のＣを拡大して示す斜視図である。
【図６】（ａ）〜（ｃ）は、第三実施形態のフェンスの様々な連結パターンを示す簡略化した正面図である。
【図７】（ａ）〜（ｃ）は、本発明のフェンスの他の実施形態を示す正面図である。
【図８】複数のパネルを連結する従来のフェンスを示す正面図である。
【発明を実施するための形態】
【００２２】
以下に、図面に基づいて本実施によるフェンスの実施の形態を説明する。
第一実施形態のフェンスは、図１（ａ）のように、上下桟（横桟）２ａ，２ｂと縦桟３で四周を囲んだ複数のパネル１ａ〜１ｃを横一列に連結したものを段差地に設置している。隣接するパネル１ａ〜１ｃ同士の連結については、図１（ｂ）のように、連結材４，５によって連結される。取付材４は、パネル１ａと、パネル１ａより高い位置に設置するパネル１ｂ間に設けられ、パネル１ｂの上桟２ａからパネル１ａの下桟２ｂまでの寸法と一致する長さを有しており、金具５は、この取付材４の側面にネジ６で固定されるものである。金具５は、取付材４の側面に固定する固定片５ａと、その固定片５ａの縦桟３見込み方向の両端からそれぞれ略水平に突出した挿込片５ｂとから平面視略コ字型をなすものであり、挿込片５ｂにはネジの挿通孔５ｃが設けてある。パネル１ａとパネル１ｂの連結の手順について説明すると、まず、取付材４のパネル１ａ側，１ｂ側の両側面に、パネル１ａ，１ｂの上下桟（横桟）２ａ，２ｂ間の寸法に合わせて金具５を固定する。次に、パネル１ｂ側の金具５の挿込片５ｂをパネル１ｂの横桟２ａ，２ｂの中空部Ｓに挿入するとともに、横桟２ａ，２ｂの側面から挿通したネジを挿込片５ｂの挿通孔５ｃに挿通してネジ止めすることにより、パネル１ｂと取付材４が連結される。同じように、パネル１ａ側の金具５をパネル１ａの横桟２ａ中空部Ｓに挿し込み、さらにネジで横桟２ａ，２ｂに固定することにより、隣接するパネル１ａ，１ｂ同士を段差状に上下にずれた状態で連結できる。隣接するパネル１ａ〜１ｃ同士間がそれぞれ、取付材４を介して上下桟（横桟）２ａ，２ｂで連結されるので、パネル１ａ〜１ｃ同士が強固に連結されたフェンスを施工できる。
【００２３】
上下桟（横桟）２ａ，２ｂと縦桟３で四周を囲んだ複数のパネル１ａ〜１ｃについて、図２（ａ）〜（ｃ）のように、高さ寸法が違うパネル１ａ〜１ｃ同士を連結することもできる。隣接するパネル１ａ〜１ｃ同士の連結については、上記した高さ寸法が同一のパネル１ａ〜１ｃ同士の連結と同様、連結材４，５によって連結される。取付材４は、パネル１ａと、パネル１ａより高さ寸法が小さいパネル１ｂの間に設けられ、パネル１ａの上桟２ａから下桟２ｂまでの寸法と一致する長さを有しており、金具５は、この取付材４の側面にネジ６で固定されるものである。金具５は、取付材４の側面に固定する固定片５ａと、その固定片５ａの縦桟３見込み方向の両端からそれぞれ略水平に突出した挿込片５ｂとから平面視略コ字型をなすものであり、挿込片５ｂにはネジの挿通孔５ｃが設けてある。パネル１ａとパネル１ｂの連結の手順について説明すると、まず、取付材４のパネル１ａ側と１ｂ側の両側面に、パネル１ａ，１ｂの上下桟（横桟）２ａ，２ｂ間の寸法に合わせて金具５を固定する。次に、パネル１ａ側の金具５の挿込片５ｂをパネル１ａの横桟２ａ，２ｂの中空部Ｓに挿入するとともに、横桟２ａ，２ｂの側面から挿通したネジを挿込片５ｂの挿通孔５ｃに挿通してネジ止めすることにより、パネル１ａと取付材４が連結される。同じように、パネル１ｂ側の金具５をパネル１ａの横桟２ａ中空部Ｓに挿し込み、さらにネジで横桟２ａ，２ｂに固定することにより、隣接するパネル１ａ，１ｂ同士を段差状に上下にずれた状態で連結できる。高さ寸法の違うパネル１ａ〜１ｃ同士を連結する図２（ａ）〜（ｃ）の連結パターンについて説明する。まず、図２（ａ）に示すものは、段差地において各パネル１ａ〜１ｃの上端を揃えて連結したものである。また、図２（ｂ）は、平地において各パネル１ａ〜１ｃの下端を揃えて連結したものであり、さらに、図２（ｃ）は、段差地において各パネル１ａ〜１ｃの中心を合わせて連結したものである。
【００２４】
第二実施形態のフェンスは、図３（ａ）（ｂ）のように、連結材１４として、垂直部１４ａと，その垂直部１４ａの長手方向両側からそれぞれ突出する挿込部１４ｂとからクランク状をなすものを使用して、高さ寸法が同一のパネル１ａ〜１ｃ同士の横桟２ａ，２ｂの中空部Ｓにそれぞれ挿込部１４ｂを挿入し、隣接するパネル１ａ〜１ｃ同士を上下にずらして段差状に連結するものである。また、図４（ａ）のように、上桟（横桟）２ａ中空部Ｓ同士に挿入する連結材１５は、横方向に直線状のものを使用し、隣接するパネル１ａ〜１ｃ下桟（横桟）２ｂ中空部Ｓに挿入するもののみにクランク状をなす連結材１４を使用することにより、隣接する各パネル１ａ〜１ｃの上端を揃えた状態でフェンスを形成できる。また、図４（ｂ）のように、上桟（横桟）２ａ同士の連結にクランク状をなす連結材１４を使用し、下桟（横桟）２ｂに直線状の連結材１５を使用することにより、隣接する各パネル１ａ〜１ｃの下端を揃えた状態のフェンスを形成できる。また、図４（ｃ）のように、上桟（横桟）２ａ同士の連結と下桟（横桟）２ｂ同士の連結ともにクランク状をなす連結材１４を使用し、高さ寸法の違うパネル１ａ〜１ｃ同士を連結することにより、隣接する高さ寸法の違うパネル１ａ〜１ｃ同士を上下が不揃いの状態のフェンスを形成することができる。
【００２５】
第三実施形態のフェンスは、図５（ａ）のように、隣接するパネル１ａ〜１ｃ同士の縦桟３の側面に金具（連結材）２４を固定するものであり、この金具２４は、図５（ｂ）のように、上記第一実施形態の金具５とほぼ同一形状をなしており、縦桟３との取付面側にネジ孔２９を有している。金具２４と一方のパネル１ｂの縦桟３への取付けは、まず、金具２４の取付面側のネジ孔２９に、ネジ受孔２５ａ付きの裏板２５をネジ２７で仮止めし、次に、一方のパネル１ｂの縦桟３の側面の長手方向に沿って連続する溝２６に裏板２５を挿入してスライドさせ、所定の位置で裏板２５を回転させて溝２６の突出片２６ａに引っ掛けたうえでネジ２７を締め込むことで、金具２４が縦桟３の側面に固定される。尚、一旦ネジ２７を緩めれば、金具２４が裏板２５と共に溝２６に沿って自在にスライドするので、金具２４を縦桟３の任意の位置で位置調整自在に取り付けることができる。そして、一方のパネル１ｂの縦桟３に取付けた金具２４を、他方のパネル１ａの横桟２ａ中空部Ｓに呑み込ませ、金具２４の挿通孔２８に横桟２ａの側面からネジ（図示省略）を挿通してネジ止めすることで、隣接するパネル１ａ，１ｂ同士を上下にずらして段差状に連結することができる。また、隣接するパネル１ａ〜１ｃ同士の位置関係についても、金具２４を位置調整することにより、図６（ａ）のように、パネル１ａ〜１ｃの上端同士が揃うものや、図６（ｂ）のように、下端同士が揃うもの、また、図６（ｃ）のように、パネル１ａ〜１ｃ同士の上下端が段差状になるものすべての配置関係に連結することができる。
【００２６】
本発明のフェンスは上記各実施形態に限定されず、その他、隣接するパネル１ａ〜１ｃ同士を上下に段違いに連結できるものであればよく、パネル１ａ〜１ｃ同士を真っ直ぐに連結するものの他に、例えば、第一実施形態の取付材４を介して連結されるパネル１ａ〜１ｃ同士が、水平方向の任意の角度で連結されるものであってもよい。また、第三実施形態として記した縦桟３側面の長手方向に位置調整可能な金具２４については、上述した縦桟３の溝２６に沿ってスライドできるものの他、縦桟３側面の長手方向に沿って複数箇所に設けた係止部のいずれかに係止するもの等であってもよい。また、上記の第一〜第三の各実施形態では、隣接するパネル１ａ〜１ｃの高さ寸法が同一寸法のもの、一側から他側に向けて次第に高さ寸法が長くなるもの又は短くなるものについてそれぞれ記載したが、図７（ａ）〜（ｃ）のように、高さ寸法が高いパネル１ａ、低いパネル１ｂ、高いパネル１ｃ・・・と高低不規則な順番に連結することも可能である。このときに使用する連結材４，５，１４，１５，２４，２９についても、上記の第一〜第三実施形態で使用したいずれのものでも連結することができる。また、複数の異なる形態の連結材４，５，１４，１５，２４，２９を組み合わせて連結してもよい。
【符号の説明】
【００２７】
１ａ〜１ｃ  パネル
２ａ  上桟（横桟）
２ｂ  下桟（横桟）
３  縦桟
１４，１５  連結材
４  取付材（連結材）
５，２４  金具（連結材）
【図１】
2012172420.tif 000003
【図２】
2012172420.tif 000004
【図３】
2012172420.tif 000005
【図４】
2012172420.tif 000006
【図５】
2012172420.tif 000007
【図６】
2012172420.tif 000008
【図７】
2012172420.tif 000009
【図８】
2012172420.tif 000010
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
複数のパネルと、パネル同士を連結する連結する連結材とを備え、パネルは上下に横桟を有し、連結材は、パネルの横桟の中空部に挿入して取り付けてあり、連結材を介してパネル同士が上下にずれた位置で連結してあることを特徴とするフェンス。
【請求項２】
複数のパネルと、パネル同士を連結する連結材を備え、パネルは、上下の横桟と左右の縦桟を有し、金具は、隣接するパネルのうちの一方のパネルの縦桟の側面に対して長手方向に位置調整自在に取り付けてあり、連結材を隣接する他方のパネルの横桟の中空部に呑込ませて固定してあることを特徴とするフェンス。
【請求項３】
複数のパネルと、パネル同士を連結する連結材を備え、連結材は、パネル間に設けられる上下方向に長い取付材と、取付材にパネルを固定する金具とからなり、金具は、取付材の側面に対して長手方向に位置調整自在に取り付けできることを特徴とするフェンス。
【請求項４】
パネル同士が上下にずれて段差状に連結してあることを特徴とする請求項１乃至３記載のフェンス。
【請求項５】
パネル同士は、高さ寸法が異なったものを連結することを特徴とする請求項１乃至３記載のフェンス。
【請求項６】
複数のパネルと、パネル同士を連結する連結材を備え、連結材により高さ寸法が異なるパネル同士を連結することを特徴とするフェンス。
【請求項７】
隣接するパネル同士は、上端位置を揃えて連結してあることを特徴とする請求項６記載のフェンス。
【請求項８】
隣接するパネル同士は、下端位置を揃えて連結してあることを特徴とする請求項６記載のフェンス。
【請求項９】
隣接するパネル同士は、一方のパネルの上下端の位置が他方のパネルの上端位置から下端位置までの範囲内にあり、パネル同士が不揃いな状態で連結してあることを特徴とする請求項６記載のフェンス。